(57)【特許請求の範囲】
【請求項１】
一対の身頃素材同士を連結部により連結して成る衣服素材に設けられ、前記連結部に対して両側から前記一対の身頃素材同士を引き寄せることにより前記一対の身頃素材間の間隔を調整するウエアサイズ調整機構であって、
前記連結部に止着される巻き取り器と、
前記巻き取り器に巻き取られる長尺部材と、
前記巻き取り器の一方側で前記巻き取り器から所定の距離を隔てて前記身頃素材の一方に止着されるとともに、前記巻き取り器との間で前記長尺部材が掛け回されるように前記長尺部材を保持することにより、前記巻き取り器により巻き取られる前記長尺部材の牽引作用によって前記一方側から前記巻き取り器へ向けて引き寄せられる前記衣服素材の第１の伸縮領域を規定する第１の保持部と、
前記巻き取り器の他方側で前記巻き取り器から所定の距離を隔てて前記身頃素材の他方に止着されるとともに、前記第１の保持部に掛け回されて前記第１の伸縮領域から前記他方側へ延びる長尺部材を保持することにより、前記巻き取り器により巻き取られる前記長尺部材の牽引作用によって前記他方側から前記巻き取り器へ向けて引き寄せられる前記衣服素材の第２の伸縮領域を規定する第２の保持部と、
を備え、
前記巻き取り器との間で前記長尺部材が掛け回される前記第１の保持部は、前記巻き取り器と協働して、前記巻き取り器に対する前記第１及び第２の保持部の離間方向である第１の方向に対して略直交する第２の方向で前記第１の伸縮領域が収縮することを規制し、
前記第１の保持部との間で前記長尺部材が掛け回される前記第２の保持部は、前記第２の方向で前記第２の伸縮領域が収縮することを規制し、
前記第２の伸縮領域は、前記長尺部材が前記第２の保持部と前記巻き取り器との間で掛け回されない領域として、前記連結部と前記身頃素材の他方とに振り分けて配置される前記巻き取り器と前記第２の保持部との間に設けられ、
前記連結部には、前記第１の保持部と前記第２の保持部との間で前記長尺部材を前記第１の方向と略平行に案内するガイド部材が止着されることを特徴とするウエアサイズ調整機構。
【請求項２】
前記第１の保持部は、前記第２の方向に沿う前記巻き取り器の一方側で前記長尺部材を前記巻き取り器との間で掛け回す第１の掛け回し領域を前記第１の伸縮領域内に規定する第１の保持部材と、前記第２の方向に沿う前記巻き取り器の他方側で前記長尺部材を前記巻き取り器との間で掛け回す第２の掛け回し領域を前記第１の伸縮領域内に規定する第２の保持部材とを有することを特徴とする請求項１に記載のウエアサイズ調整機構。
【請求項３】
前記巻き取り器は、前記第１の掛け回し領域に位置する前記長尺部材と前記第２の掛け回し領域に位置する前記長尺部材とを同時に巻き取ることを特徴とする請求項２に記載のウエアサイズ調整機構。
【請求項４】
前記第１の保持部材、前記第２の保持部材、及び、前記巻き取り器のそれぞれは、前記第２の方向で前記第１の伸縮領域が収縮することを規制する寸法を前記第２の方向で有することを特徴とする請求項２又は３に記載のウエアサイズ調整機構。
【請求項５】
前記第２の保持部は、前記第２の方向で前記第２の伸縮領域が収縮することを規制する寸法を前記第２の方向で有することを特徴とする請求項１から４のいずれか一項に記載のウエアサイズ調整機構。
【請求項６】
請求項１から５のいずれか一項に記載のウエアサイズ調整機構を備えることを特徴とする衣服。
【発明の詳細な説明】
【技術分野】
【０００１】
本発明は、衣服のサイズを調整きるウエアサイズ調整機構、及び、該調整機構を備える衣服に関する。
【背景技術】
【０００２】
周知のように、衣服は、そのサイズを調整できる調整機構を備えている場合がある。そのような調整機構としては、例えば、ズボンのウエストサイズを調整できるものや、上着の幅や丈の寸法を調整できるものなど、様々な用途で様々な種類のものが存在する。
【０００３】
例えば、特許文献１では、衣服としてのベストの両側部にそれぞれ巻き取り体が備え付けられるとともに、衣服素材に対して矩形ループ状に配設される締め付け紐の両端が巻き取り体に巻き取り可能に接続され、締め付け紐の両端側を巻き取り体によって巻き取ることによりベストの両側部を締め付け、それにより、ベストのサイズを着用者のサイズに応じて調整できるようにしている。
【先行技術文献】
【特許文献】
【０００４】
【特許文献１】特開２０１４−１６６１９３号
【発明の概要】
【発明が解決しようとする課題】
【０００５】
しかしながら、特許文献１に開示されるサイズ調整機構では、締め付け紐が衣服素材にわたって単にループ状に配設されているだけであるため、締め付け紐を巻き取り体によって巻き取って締め付けた際に、締め付け紐がループ状に配設されて成る衣服素材の部位が、両側部（左右方向）のみならず、上下方向にも締まってしまう（縮んで皺になる）。そのため、着心地が低下してしまう場合がある。  
本発明は、上記した問題に着目してなされたものであり、衣服のサイズをその調整すべき方向に規制して調整できるウエアサイズ調整機構及び該調整機構を備える衣服を提供することを目的とする。
【課題を解決するための手段】
【０００６】
上記した目的を達成するために、本発明は、一対の身頃素材同士を連結部により連結して成る衣服素材に設けられ、前記連結部に対して両側から前記一対の身頃素材同士を引き寄せることにより前記一対の身頃素材間の間隔を調整するウエアサイズ調整機構であって、前記連結部に止着される巻き取り器と、前記巻き取り器に巻き取られる長尺部材と、前記巻き取り器の一方側で前記巻き取り器から所定の距離を隔てて前記身頃素材の一方に止着されるとともに、前記巻き取り器との間で前記長尺部材が掛け回されるように前記長尺部材を保持することにより、前記巻き取り器により巻き取られる前記長尺部材の牽引作用によって前記一方側から前記巻き取り器へ向けて引き寄せられる前記衣服素材の第１の伸縮領域を規定する第１の保持部と、前記巻き取り器の他方側で前記巻き取り器から所定の距離を隔てて前記身頃素材の他方に止着されるとともに、前記第１の保持部に掛け回されて前記第１の伸縮領域から前記他方側へ延びる長尺部材を保持することにより、前記巻き取り器により巻き取られる前記長尺部材の牽引作用によって前記他方側から前記巻き取り器へ向けて引き寄せられる前記衣服素材の第２の伸縮領域を規定する第２の保持部とを備え、前記巻き取り器との間で前記長尺部材が掛け回される前記第１の保持部は、前記巻き取り器と協働して、前記巻き取り器に対する前記第１及び第２の保持部の離間方向である第１の方向に対して略直交する第２の方向で前記第１の伸縮領域が収縮することを規制し、前記第１の保持部との間で前記長尺部材が掛け回される前記第２の保持部は、前記第２の方向で前記第２の伸縮領域が収縮することを規制し、前記第２の伸縮領域は、前記長尺部材が前記第２の保持部と前記巻き取り器との間で掛け回されない領域として、前記連結部と前記身頃素材の他方とに振り分けて配置される前記巻き取り器と前記第２の保持部との間に設けられ、前記連結部には、前記第１の保持部と前記第２の保持部との間で前記長尺部材を前記第１の方向と略平行に案内するガイド部材が止着されることを特徴とする。
【０００７】
上記構成によれば、巻き取り器との間で長尺部材が掛け回される第１の保持部が、巻き取り器と協働して、第１の伸縮領域の伸縮方向（巻き取り器に対する第１の保持部の離間方向）である第１の方向に対して略直交する第２の方向で第１の伸縮領域が収縮することを規制し、第１の保持部との間で長尺部材が掛け回される第２の保持部が、第２の方向で第２の伸縮領域が収縮することを規制するため、調整機構が関与する第１及び第２の伸縮領域の全体にわたって衣服素材が第２の方向に締まって収縮する（縮んで皺になる）ことが規制され、したがって、着心地を低下させてしまうことがない。すなわち、上記構成のウエアサイズ調整機構によれば、衣服のサイズをその調整すべき第１の方向に規制して調整できる。
【０００８】
また、上記構成によれば、長尺部材が第１の保持部と巻き取り器との間で掛け回される第１の伸縮領域が巻き取り器の一方側に規定されるとともに、第１の保持部に掛け回されて第１の伸縮領域から延びる長尺部材を保持する第２の伸縮領域が巻き取り器の他方側に規定されるため、巻き取り器により巻き取られる長尺部材の牽引作用によって衣服素材を確実に伸縮させることができるとともに、巻き取り器の１回の操作で巻き取り器の両側の第１および第２の伸縮領域の衣服素材を同時に引き寄せることができ、大きなサイズ調整幅を確保できる。  
なお、本発明は、前記ウエアサイズ調整機構を備える衣服も提供する。
【発明の効果】
【０００９】
本発明によれば、衣服のサイズをその調整すべき方向に規制して調整できるウエアサイズ調整機構及び該調整機構を備える衣服が得られる。
【図面の簡単な説明】
【００１０】
【図１】本発明のウエアサイズ調整機構が設けられる衣服の一例としてのフローティングベストの正面図である。
【図２】図１のフローティングベストの連結部領域の拡大図である。
【図３】本発明の第１の実施形態に係るウエアサイズ調整機構の概略構成図である。
【図４】本発明の第２の実施形態に係るウエアサイズ調整機構の概略構成図である。
【図５】本発明の第３の実施形態に係るウエアサイズ調整機構の概略構成図である。
【発明を実施するための形態】
【００１１】
以下、本発明に係るウエアサイズ調整機構の実施形態について、添付図面を参照しながら具体的に説明する。  
図１は、本発明のウエアサイズ調整機構が設けられる衣服の一例としてのフローティングベストを示す。図示のように、フローティングベスト１を構成する本体１Ａは、例えば、ナイロン、ポリエステル等の素材によって縫製されており、左右の前身頃２Ａ，２Ｂと後身頃３を備え、これらは、左右のショルダー部５ａ，５ｂ及び左右のウエスト部（連結部）６ａ，６ｂを介して一体化されている。そして、左右のショルダー部５ａ，５ｂと左右のウエスト部６ａ，６ｂとの間は、装着者の腕を通す開口７ａ，７ｂが形成されるとともに、左右の前身頃２Ａ，２Ｂの前面側中央には、両前身頃を連結するファスナ８が縫着されている。また、各前身頃２Ａ，２Ｂの表面には、ファスナ等によって開閉される複数のポケット９が縫着されている。そして、上記したように構成される本体１Ａ内には、適所に浮力材（図示せず）が組み込まれている。
【００１２】
また、図２に拡大して示されるように、前身頃２Ａ，２Ｂと後身頃３とを連結するウエスト部（連結部）６ａ，６ｂ又はその周辺には、前身頃２Ａ，２Ｂと後身頃３との間隔を調整可能な本発明の第１の実施形態に係るウエアサイズ調整機構１０が配設されている。なお、以下では、左前身頃２Ａと後身頃３とを左脇下で連結する左ウエスト部６ａに配設されるウエアサイズ調整機構１０について説明するが、右ウエスト部６ｂに配設されるウエアサイズ調整機構１０も同一構成を成す。この部分に配設されるウエアサイズ調整機構１０を操作することで前身頃２Ａと後身頃３との間隔調整が行なえるようになっている。なお、以下の説明では、左前身頃を、単に前身頃２Ａと称し、左ウエスト部を、単に連結部６ａと称する。
【００１３】
以下、ウエアサイズ調整機構１０の構成について説明する。  
図３に示されるように、ウエアサイズ調整機構１０は、衣服素材としての例えば連結部６ａに止着（縫着）される巻き取り器１２と、巻き取り器１２に巻き取られる例えば金属ワイヤにより形成される長尺部材１４と、巻き取り器１２の一方側（後身頃３側）で巻き取り器１２から所定の距離を隔てて衣服素材としての後身頃３（場合により連結部６ａであってもよい）に止着（縫着）される第１の保持部１６と、巻き取り器１２の他方側（前身頃２Ａ側）で巻き取り器１２から所定の距離を隔てて衣服素材としての前身頃２Ａ（場合により連結部６ａであってもよい）に止着（縫着）される第２の保持部１８とを備える。
【００１４】
この場合、後身頃３に止着される第１の保持部１６は、巻き取り器１２との間で長尺部材１４が掛け回されるように長尺部材１４を保持することにより、巻き取り器１２により巻き取られる長尺部材１４の牽引作用によって一方側（後身頃３側）から巻き取り器１２へ向けて引き寄せられる衣服素材３，６ａの第１の伸縮領域２０を規定する。また、前身頃２Ａに止着される第２の保持部１８は、第１の保持部１６に掛け回されて第１の伸縮領域２０から他方側（前身頃２Ａ側）へ延びる長尺部材１４を保持することにより、巻き取り器１２により巻き取られる長尺部材１４の牽引作用によって他方側（前身頃２Ａ側）から巻き取り器１２へ向けて引き寄せられる衣服素材２Ａ，６ａの第２の伸縮領域２２を規定する。
【００１５】
また、本実施形態において、第１の保持部１６は、巻き取り器１２に対する第１の保持部１６の離間方向（幅方向Ｘ）に対して略直交する方向（高さ方向Ｙ）に沿う巻き取り器１２の一方側（図３の上側）で長尺部材１４を巻き取り器１２との間で掛け回す第１の掛け回し領域２４を第１の伸縮領域２０内に規定する第１の保持部材１６ａと、高さ方向Ｙに沿う巻き取り器１２の他方側（図３の下側）で長尺部材１４を巻き取り器１２との間で掛け回す第２の掛け回し領域２６を第１の伸縮領域２０内に規定する第２の保持部材１６ｂとを有する。
【００１６】
なお、第１及び第２の保持部材１６ａ，１６ｂは、それらのそれぞれから（第１の伸縮領域２０から）第２の伸縮領域２２へ向けて延びる長尺部材１４の部位が互い略平行に無理なく延びることができるような位置に配設され、例えば略Ｃ形状に形成されて、その両端開口が第２の伸縮領域２２へ向けて開口していることが好ましい。
【００１７】
また、第２の保持部１８は、第１の保持部１６の第１及び第２の保持部材１６ａ，１６ｂから（第１の伸縮領域２０から）第２の伸縮領域２２へ向けて略平行に延びる長尺部材１４のそれぞれの部位をそのまま略平行に受けることができるように例えば調整機構１０の高さ寸法Ｌ（本実施形態では、第１の保持部材１６ａの上端と第２の保持部材１６ｂの下端との間の高さ寸法にほぼ等しい）のほぼ全長にわたって延びる例えば透明チューブ１８ａと、透明チューブ１８ａを外側から覆うようにして前身頃２Ａに縫着されることにより透明チューブ１８ａを前身頃２Ａに対して固定する生地１８ｂとにより構成され、長尺部材１４を透明チューブ１８ａに挿通させることにより保持する。すなわち、第２の保持部１８が位置するこの第２の伸縮領域２２では長尺部材１４が第２の保持部１８と巻き取り器１２との間で掛け回されない。
【００１８】
また、本実施形態において、長尺部材１４は、その両端が巻き取り器１２に取り付けられて前述したように第１及び第２の保持部１６，１８により保持されることによって第１及び第２の伸縮領域２０，２２にわたってループ状に延びる１本のワイヤにより形成される。すなわち、長尺部材１４は、巻き取り器１２の一方側（図３では上側）から延び出て第１の伸縮領域２０内の第１の掛け回し領域２４で第１の保持部材１６ａに掛け回された後、連結部６ａに止着される上側ガイド部材１７により幅方向Ｘと略平行に第２の伸縮領域２２へと案内されて、第２の伸縮領域２２に位置する第２の保持部１８の透明チューブ１８ａにその一端側から挿通され、その後、透明チューブ１８ａの他端側から抜け出て、連結部６ａに止着される下側ガイド部材１９により幅方向Ｘと略平行に第１の伸縮領域２０へと案内されるとともに、第１の伸縮領域２０内の第２の掛け回し領域２６で第２の保持部材１６ｂに掛け回された後、巻き取り器１２の他方側（図３では下側）へと至る。
【００１９】
また、このような長尺部材１４を巻き取る巻き取り器１２は、第１の掛け回し領域２４に位置する長尺部材１４と第２の掛け回し領域２６に位置する長尺部材１４とを同時に巻き取るようになっている。具体的に、本実施形態において、巻き取り器１２は、その操作部を操作することにより、１本のループ状に延びる長尺部材１４の両端側を同時に巻き取ることができる巻き取りロック位置と、ロック状態を解除して長尺部材１４の両端側を同時に繰り出すことができる解放位置との間で切り換え操作することができる。
【００２０】
また、巻き取り器１２は、長尺部材１４を巻回するためのスプール及び前記操作部を有する本体１２ａと、長尺部材１４を受けて前記スプールの巻回部上へと案内する上下一対のガイド部１２ｂ，１２ｃとを有し、ガイド部１２ｂ，１２ｃはそれぞれ対応する第１及び第２の掛け回し領域２４，２６へ向けて開口する例えば略Ｌ字形状を成す。
【００２１】
また、本実施形態において、巻き取り器１２との間で長尺部材１２が掛け回される第１の保持部１６は、巻き取り器１２と協働して、幅方向（第１の方向）Ｘに対して略直交する高さ方向（第２の方向）Ｙで第１の伸縮領域２０が収縮することを規制するようになっており、そのため、第１の保持部材１６ａの高さ方向Ｙに沿う寸法ａ１と第２の保持部材１６ｂの高さ方向Ｙに沿う寸法ａ２と巻き取り器１２（本体１２ａ及びガイド部１２ａ，１２ｂを含む）の高さ方向Ｙに沿う寸法ｂとの和が調整機構１０の高さ方向Ｙに沿う寸法Ｌにほぼ等しくなっているとともに、高さ方向Ｙで衣服素材を収縮させないように突っ張って支えることができる素材により第１及び第２の保持部材１６ａ，１６ｂ及び巻き取り器１２が形成される。
【００２２】
また、本実施形態において、第１の保持部１６との間で長尺部材１４が掛け回される第２の保持部１８も、高さ方向Ｙで第２の伸縮領域２２が収縮することを規制するようになっており、そのため、前述したように、透明チューブ１８ａの高さ方向Ｙに沿う寸法が調整機構１０の高さ方向Ｙに沿う寸法Ｌにほぼ等しくなっているとともに、高さ方向Ｙで衣服素材を収縮させないように突っ張って支えることができる素材により透明チューブ１８ａが形成される。  
ここで、調整機構１０の高さ方向Ｙの寸法Ｌは、第１の伸縮領域２０と第２の伸縮領域２２との間で互いに略平行に幅方向Ｘに沿って延びる長尺部材１４間の距離として規定される。
【００２３】
以上のような構成を成すウエアサイズ調整機構１０では、巻き取り器１２の操作部を操作して巻き取り器１２を巻き取りロック位置に切り換えた後、巻き取り器１２を一方向に回転操作すると、長尺部材１４の両端側が巻き取り器１２内へと同時に巻き取られて、その巻き取りに伴う長尺部材１４の牽引作用により、衣服素材の第１の伸縮領域２０が一方側（後身頃３側）から巻き取り器１２へ向けて引き寄せられると同時に、衣服素材の第２の伸縮領域２２が他方側（前身頃２Ａ側）から巻き取り器１２へ向けて引き寄せられる。すなわち、連結部６ａの周囲の衣服素材が幅方向Ｘで収縮する。
【００２４】
そして、この収縮動作において、第１の伸縮領域２０では、衣服素材に止着される第１及び第２の保持部材１６ａ，１６ｂと巻き取り器１２とがその高さ方向Ｙに沿うそれぞれの寸法にわたって突っ張ることにより衣服素材を高さ方向Ｙで収縮しないように支えるとともに、巻き取り器１２により巻き取られる長尺部材１４の牽引作用によって第１の保持部材１６ａと第２の保持部材１６ｂとが高さ方向Ｙで一体となって幅方向Ｘに移動するため、第１の伸縮領域２０が高さ方向Ｙで収縮することが抑制される。一方、第２の伸縮領域２２でも、そのように高さ方向Ｙで一体となって幅方向Ｘに移動する第１及び第２の保持部材１６ａ，１６ｂから延びる長尺部材１４から牽引力を受けて、第２の保持部１８（透明チューブ１８ａ）が、調整機構１０の高さ寸法Ｌ全体にわたって突っ張ることにより衣服素材を高さ方向Ｙで収縮しないように支えつつ幅方向Ｘに移動するため、第２の伸縮領域２２が高さ方向Ｙで収縮することが抑制される。
【００２５】
なお、前記操作部を操作して巻き取り器１２を解放位置に切り換えると、巻き取り器１２から長尺部材１４の両端側を同時に繰り出すことができ、衣服素材の第１及び第２の伸縮領域２０，２２を幅方向Ｘに引き伸ばすことができる（連結部６ａの周囲の衣服素材を幅方向で広げることができる）。
【００２６】
以上説明したように、本実施形態のウエアサイズ調整機構１０によれば、巻き取り器１２との間で長尺部材１４が掛け回される第１の保持部１６が、巻き取り器１２と協働して、第１の伸縮領域２０の伸縮方向である幅方向Ｘに対して略直交する高さ方向Ｙで第１の伸縮領域２０が収縮することを規制し、また、第１の保持部１６との間で長尺部材１４が掛け回される第２の保持部１８が、高さ方向Ｙで第２の伸縮領域２２が収縮することを規制するため、調整機構１０が関与する第１及び第２の伸縮領域２０，２２の全体にわたって衣服素材が高さ方向Ｙに締まって収縮する（縮んで皺になる）ことが規制され、したがって、着心地を低下させてしまうことがない。すなわち、本実施形態のウエアサイズ調整機構１０によれば、衣服のサイズをその調整すべき幅方向Ｘに規制して調整できる。
【００２７】
また、本実施形態では、長尺部材１４が第１の保持部１６と巻き取り器１２との間で掛け回される第１の伸縮領域２０が巻き取り器１２の一方側に規定されるとともに、第１の保持部１６に掛け回されて第１の伸縮領域２０から延びる長尺部材１４が保持される第２の伸縮領域２２が巻き取り器１２の他方側に規定されるため、巻き取り器１２により巻き取られる長尺部材１４の牽引作用によって衣服素材を確実に伸縮させることができるとともに、巻き取り器１２の１回の操作で巻き取り器１２の両側の第１および第２の伸縮領域２０，２２の衣服素材を同時に引き寄せることができ、大きなサイズ調整幅を確保できる。
【００２８】
また、本実施形態のウエアサイズ調整機構１０によれば、長尺部材１４が第２の保持部１８と巻き取り器１２との間で掛け回されない第２の伸縮領域２２が規定されるため、この第２の伸縮領域２２では、動滑車の原理による掛け回しポイント両側での牽引長さの二分が生じず、したがって、第２の伸縮領域２２では、理論的に、衣服素材の引き寄せ量を第１の伸縮領域２０の倍にすることができる。すなわち、巻き取り器１２を回転させて例えば長尺部材１４の両端側をそれぞれ２ａの長さずつ巻き取り牽引すると、理論的には、第１及び第２の掛け回し領域２４，２６では第１及び第２の保持部材１６ａ，１６ｂ（掛け回しポイント）の両側で牽引長さが二分されるため、第１の伸縮領域２０は長さａの分しか収縮できないが、第２の伸縮領域２２は長さ２ａにわたって収縮できる。
【００２９】
図４には、第２の実施形態に係るウエアサイズ調整機構１０Ａが示される。図示のように、本実施形態では、第２の保持部１８の形態が第１の実施形態と異なる。すなわち、本実施形態において、第２の保持部１８は、前述した透明チューブ１８ａと、該チューブ１８ａの両端に接続されて第１の保持部１６へ向けて開口するガイド部３０，３２とから形成される。なお、それ以外の構成は第１の実施形態と同一であり、したがって、第１の実施形態と同様の作用効果が得られる。
【００３０】
図５には、第３の実施形態に係るウエアサイズ調整機構１０Ｂが示される。図示のように、本実施形態でも、第２の保持部１８の形態が第１の実施形態と異なる。すなわち、本実施形態において、第２の保持部１８は、前述した透明チューブ１８ａが高さ方向Ｙで二分されている（透明チューブ１８ａａ，１８ａｂ）。無論、透明チューブ１８ａが３つ以上に分離されていても構わない。これらの透明チューブ１８ａａ，１８ａｂは、第１の実施形態と同様、前身頃２Ａに縫着される生地１８ｂにより外側から一体で覆われることにより前身頃２Ａに対して固定される。なお、それ以外の構成は第１の実施形態と同一であり、したがって、第１の実施形態と同様の作用効果が得られる。
【００３１】
以上、本発明の実施形態について説明したが、本発明は、上記した実施形態に限定されることはなく、種々変形することが可能である。例えば、前述した実施形態では、ウエアサイズ調整機構１０が左右のウエスト部６ａ，６ｂに配設されているが、片方のウエスト部のみの調整機構１０が配設されていても構わない。また、調整機構１０の配設部位はウエスト部６ａ，６ｂに限定されず、例えば、左右の前身頃２Ａ，２Ｂ間の間隔を調整するために調整機構１０が使用されてもよい。この場合には、フローティングベスト１は、ファスナ８を有さない（前開きではない）かぶって脱ぎ着するタイプのものとなる。
【００３２】
また、調整機構１０の配設対象はフローティングベスト１に限定されず、様々な種類の衣服に本発明を適用できる。その場合、保持部１６，１８の数、第１の保持部１６の保持部材の数も限定されない。また、前述した実施形態では、長尺部材がワイヤであったが、その素材も特に限定されない。
【００３３】
また、前述した調整機構を反転して配設できることは言うまでもない。すなわち、第１の保持部１６が前身頃２Ａ側に配設されるとともに、第２の保持部１８が後身頃３側に配設されてもよい。
【符号の説明】
【００３４】
２Ａ，２Ｂ，３  衣服素材
１２  巻き取り器
１４  長尺部材
１６  第１の保持部
１６ａ  第１の保持部材
１６ｂ  第２の保持部材
１８  第２の保持部
２０  第１の伸縮領域
２２  第２の伸縮領域
２４  第１の掛け回し領域
２６  第２の掛け回し領域
【図１】
0006674819.tif 000002
【図２】
0006674819.tif 000003
【図３】
0006674819.tif 000004
【図４】
0006674819.tif 000005
【図５】
0006674819.tif 000006